(57)【要約】【課題】複雑な設定操作を必要とすることなく、内線収容した無線電話端末を制御する。【解決手段】情報取得部１４Ａが、無線電話端末３０から送信された、ＩＰ電話網ＮＷに対して当該無線電話端末３０を登録するための登録メッセージに応じて、当該無線電話端末３０へ当該登録に用いる認証情報を要求し、得られた認証情報を当該無線電話端末３０と関連付けて記憶部１３へ保存し、登録処理部１４Ｂが、ＩＰ電話網ＮＷに対して無線電話端末３０の登録処理を行う際、記憶部１３から読み出した当該無線電話端末３０の認証情報を含む登録メッセージをＩＰ電話網ＮＷに対して送信する。【選択図】  図１
2015073220.tif 000002
【特許請求の範囲】
【請求項１】
内線回線を介して収容した少なくとも１つの内線電話端末と、無線基地局を介して収容した少なくとも１つの無線電話端末とを、ＩＰ電話網に対して交換接続する電話制御装置であって、
前記無線電話端末から送信された、前記ＩＰ電話網に対して当該無線電話端末を登録するための登録メッセージに応じて、当該無線電話端末へ当該登録に用いる認証情報を要求し、得られた認証情報を当該無線電話端末と関連付けて記憶部へ保存する情報取得部と、
前記ＩＰ電話網に対して前記無線電話端末の登録処理を行う際、前記記憶部から読み出した当該無線電話端末の認証情報を含む登録メッセージを前記ＩＰ電話網に対して送信する登録処理部と
を備えることを特徴とする電話制御装置。
【請求項２】
請求項１に記載の電話制御装置において、
前記情報取得部は、前記無線電話端末から認証情報を取得する際、当該登録メッセージの送信先が当該電話制御装置であるか確認し、送信先が当該電話制御装置であることが確認された場合にのみ、当該無線電話端末へ情報要求することを特徴とする電話制御装置。
【請求項３】
請求項１または請求項２に記載の電話制御装置において、
前記登録処理部による登録処理の完了に応じて、当該無線電話端末と１つの連携電話番号を共用する連携関係にある内線電話端末が有する機能キーのうちのいずれかに、当該連携電話番号の回線を選択するための連携回線キーを割り当てる連携制御部をさらに備えることを特徴とする電話制御装置。
【請求項４】
請求項１〜請求項３のいずれか１つに記載の電話制御装置において、
前記登録処理部は、前記無線電話端末から送信された、前記登録を更新するための登録更新メッセージに応じて、前記記憶部から読み出した当該無線電話端末の認証情報を含む登録更新メッセージを前記ＩＰ電話網に対して送信することを特徴とする電話制御装置。
【請求項５】
請求項４に記載の電話制御装置において、
前記登録処理部は、前記無線電話端末から前記登録更新メッセージを受信してから所定の監視時間が経過しても、当該無線電話端末から新たな登録更新メッセージを受信しなかった場合、当該無線電話端末に関する認証情報を前記記憶部から削除することを特徴とする電話制御装置。
【請求項６】
コンピュータを、請求項１〜請求項５のいずれかに記載の電話制御装置を構成する各部として機能させるためのプログラム。
【発明の詳細な説明】
【技術分野】
【０００１】
本発明は、電話制御技術に関し、特に無線電話端末を内線収容する電話制御技術に関する。
【背景技術】
【０００２】
ビジネスホンやＰＢＸシステムでは、スマートホンや携帯電話などの無線電話端末における無線ＬＡＮを利用したＩＰ電話機能の普及に伴い、これら無線電話端末を無線ＬＡＮ基地局経由で主装置やＰＢＸなどの電話制御装置に収容し、内線回線を介して収容した内線電話端末と同様、電話制御装置配下の電話端末として制御する技術が実用化されつつある。
【０００３】
従来、このような内線電話端末と無線電話端末とを１人の利用者が使い分けるための電話制御技術として、連携関係とする内線電話端末と無線電話端末とに１つの個別着信番号を付与することにより、当該個別着信番号に対する着信を、内線電話端末と無線電話端末のいずれでも応答可能とする端末連携機能が提案されている（例えば、特許文献１など参照）。
【先行技術文献】
【特許文献】
【０００４】
【特許文献１】特開２０１１−１８８１６０号公報
【発明の概要】
【発明が解決しようとする課題】
【０００５】
一般に、ＩＰ電話機能を持つスマートフォンや携帯電話などの無線電話端末は、ＩＰ電話網を利用して通話を行う場合、ＩＰ電話端末と同様、ＩＰ電話網に設けられたいくつかの呼制御サーバのうち、予め特定されている呼制御サーバに対して、呼制御を要求するための登録処理を実行する必要がある。
このため、従来のような端末連携機能を実現する際には、電話制御装置が、無線電話端末に代わって、当該無線電話端末の登録処理を実行することになる。
【０００６】
このような登録処理では、ＩＰ電話網からの認証要求に応答する必要がある。このため、電話制御装置が無線電話端末に代わって登録処理を実行するには、電話制御装置から認証に必要とされるＩＤやパスワードをＩＰ電話網に返送すればよい。したがって、予めＩＰ電話端末ごとに、それぞれ個別のＩＤ、さらにはパスワードを電話制御装置に設定しておく方法が考えられる。
【０００７】
しかしながら、このような無線電話端末のＩＰ電話網用のＩＤやパスワードは、不正利用を抑止するため、その設定にはセキュリティ性を十分考慮する必要がある。このため、ＩＤやパスワードを電話制御装置に設定する際、複雑な設定操作が必要となるという問題点があった。
【０００８】
本発明はこのような課題を解決するためのものであり、複雑な設定操作を必要とすることなく、内線収容した無線電話端末を制御できる電話制御技術を提供することを目的としている。
【課題を解決するための手段】
【０００９】
このような目的を達成するために、本発明にかかる電話制御装置は、内線回線を介して収容した少なくとも１つの内線電話端末と、無線基地局を介して収容した少なくとも１つの無線電話端末とを、ＩＰ電話網に対して交換接続する電話制御装置であって、前記無線電話端末から送信された、前記ＩＰ電話網に対して当該無線電話端末を登録するための登録メッセージに応じて、当該無線電話端末へ当該登録に用いる認証情報を要求し、得られた認証情報を当該無線電話端末と関連付けて記憶部へ保存する情報取得部と、前記ＩＰ電話網に対して前記無線電話端末の登録処理を行う際、前記記憶部から読み出した当該無線電話端末の認証情報を含む登録メッセージを前記ＩＰ電話網に対して送信する登録処理部とを備えている。
【００１０】
また、本発明にかかる上記電話システムの一構成例は、前記情報取得部が、前記無線電話端末から認証情報を取得する際、当該登録メッセージの送信先が当該電話制御装置であるか確認し、送信先が当該電話制御装置であることが確認された場合にのみ、当該無線電話端末へ情報要求するようにしたものである。
【００１１】
また、本発明にかかる上記電話システムの一構成例は、前記登録処理部による登録処理の完了に応じて、当該無線電話端末と１つの連携電話番号を共用する連携関係にある内線電話端末が有する機能キーのうちのいずれかに、当該連携電話番号の回線を選択するための連携回線キーを割り当てる連携制御部をさらに備えている。
【００１２】
また、本発明にかかる上記電話システムの一構成例は、前記登録処理部が、前記無線電話端末から送信された、前記登録を更新するための登録更新メッセージに応じて、前記記憶部から読み出した当該無線電話端末の認証情報を含む登録更新メッセージを前記ＩＰ電話網に対して送信するようにしたものである。
【００１３】
また、本発明にかかる上記電話システムの一構成例は、前記登録処理部が、前記無線電話端末から前記登録更新メッセージを受信してから所定の監視時間が経過しても、当該無線電話端末から新たな登録更新メッセージを受信しなかった場合、当該無線電話端末に関する認証情報を前記記憶部から削除するようにしたものである。
【００１４】
また、本発明にかかるプログラムは、コンピュータを、前述したいずれかの電話制御装置を構成する各部として機能させるためのプログラムである。
【発明の効果】
【００１５】
本発明によれば、電話制御装置がＩＰ電話網に対して無線電話端末の登録を行う際、無線電話端末からの登録メッセージに応じて無線電話端末から取得して保存しておいた認証情報が用いられる。
したがって、電話制御装置に対して無線電話端末のＩＰ電話網用のＩＤやパスワードを予め設定しておく必要がないため、複雑な設定操作を必要とすることなく、内線収容した無線電話端末を制御することができる。
【図面の簡単な説明】
【００１６】
【図１】第１の実施の形態にかかる電話システムの構成を示すブロック図である。
【図２】端末連携情報の構成例である。
【図３】内線電話端末の外観図である。
【図４】第１の実施の形態にかかる電話システムの無線電話端末登録動作を示すシーケンス図である。
【図５】第１の実施の形態にかかる電話制御装置の無線電話端末発信動作を示すシーケンス図である。
【図６】第２の実施の形態にかかる電話制御装置１０の登録更新動作を示すシーケンス図である。
【発明を実施するための形態】
【００１７】
次に、本発明の実施の形態について図面を参照して説明する。
［第１の実施の形態］
まず、図１を参照して、本発明の第１の実施の形態にかかる電話システム１について説明する。図１は、第１の実施の形態にかかる電話システムの構成を示すブロック図である。
【００１８】
この電話システム１は、ビジネスホンやＰＢＸシステムなどの電話システムからなり、電話制御装置１０、内線電話端末２０、無線基地局ＡＰ、および無線電話端末３０から構成されている。
【００１９】
電話制御装置１０は、ビジネスホンの主装置やＰＢＸシステムのＰＢＸとして用いられる電話制御装置からなり、内線回線２１を介して複数の内線電話端末２０を収容するとともに、無線基地局ＡＰを介して接続された複数の無線電話端末３０を収容し、これら内線電話端末２０および無線電話端末３０を、網回線Ｌ１を介してＩＰ電話網ＮＷに交換接続する機能を有している。なお、内線電話端末２０や無線電話端末３０の収容数については、複数に限定されるものではなく、それぞれ少なくとも１つ以上収容していれば、本発明を適用可能である。
内線電話端末２０は、ビジネスホンやＰＢＸシステムなどの電話システムで、利用者の席の卓上に配置されて利用される一般的な内線電話機である。
【００２０】
無線基地局ＡＰは、ＬＡＮ回線Ｌ２を介して電話制御装置１０と接続された一般的な無線基地局であり、無線ＬＡＮを介して収容した複数の無線電話端末３０をＬＡＮ回線Ｌ２に接続する機能を有している。
無線電話端末３０は、スマートフォンや携帯電話などの一般的な無線電話端末からなり、公衆無線電話網を利用した通話の他、例えば「０５０」で始まるＩＰ電話番号（セカンダリ電話番号）を用いて無線ＬＡＮを利用して通話を行うＩＰ電話機能を有している。
【００２１】
ＩＰ電話網ＮＷは、複数の呼制御サーバ（図示せず）で各種ＩＰ電話端末との間で呼制御メッセージをやり取りすることによりＩＰ通話サービスを提供するＩＰ電話網からなる。
相手電話端末４０は、ＩＰ電話網ＮＷに接続された一般的なＩＰ電話端末であり、具体的には、単独電話端末、電話システムに内線収容された内線電話端末、無線ＬＡＮを利用して通話を行うＩＰ電話機能を有するスマートフォンや携帯電話などの無線電話端末がある。
【００２２】
［電話制御装置］
電話制御装置１０には、主な機能部として、網Ｉ／Ｆ部１１、内線Ｉ／Ｆ部１２、記憶部１３、および制御部１４が設けられている。
【００２３】
網Ｉ／Ｆ部１１は、通信用のインターフェース回路からなり、網回線Ｌ１を介してＩＰ電話網ＮＷとの間で発信、着信、登録などの各種呼制御メッセージをやり取りする機能と、網回線Ｌ１を介して相手電話端末４０と通話音声をやり取りする機能と、ＬＡＮ回線Ｌ２および無線基地局ＡＰを介して無線電話端末３０との間で、発信、着信、登録などの各種呼制御メッセージおよび通話音声をやり取りする機能とを有している。
【００２４】
内線Ｉ／Ｆ部１２は、専用の通信回路からなり、内線回線２１を介して内線電話端末２０との間で、発信、着信などの呼制御メッセージや通話音声などのデータをやり取りする機能を有している。
【００２５】
記憶部１３は、ハードディスクや半導体メモリなどの記憶装置からなり、制御部１４での制御処理に用いる処理データやプログラム１３Ｐを記憶する機能を有している。
プログラム１３Ｐは、制御部１４のＣＰＵに読み込まれて実行されることにより、各種処理部を実現するプログラムである。
【００２６】
記憶部１３で記憶する主な処理データとして、呼制御データ１３Ａがある。呼制御データ１３Ａは、網回線Ｌ１、ＬＡＮ回線Ｌ２、内線電話端末２０、さらには無線電話端末３０について、各種動作状態を示すステータスデータや、各種設定内容を示す設定データのほか、内線電話端末２０と無線電話端末３０との連携関係が登録された端末連携情報などを含んでいる。
【００２７】
図２は、端末連携情報の構成例である。ここでは、連携回線として用いる、無線電話端末３０のＩＰ電話番号からなる連携電話番号ごとに、連携関係をなす内線電話端末２０および無線電話端末３０の識別情報が組として登録されている。これにより、無線電話端末３０のＩＰ電話番号が、内線電話端末２０の個別電話番号、すなわち内線電話端末２０における発着信および通話の際に個別に利用できる外線電話番号（網側電話番号）として割り当てられる。また、この例では、無線電話端末３０から取得した認証情報も関連付けて登録されている。
【００２８】
制御部１４は、ＣＰＵとその周辺回路を有するコンピュータからなり、記憶部１３のプログラム１３Ｐを読み込んで実行することにより、各種処理部を実現して、ＩＰ電話網ＮＷおよび無線電話端末３０との間で、ＳＩＰ（Session Initiation Protocol）などの呼制御プロトコルに基づく各種呼制御メッセージをやり取りするとともに、内線電話端末２０との間で各種の制御用プロトコルに基づく制御メッセージをやり取りすることにより、内線電話端末２０および無線電話端末３０に関する呼制御を行う機能を有している。
制御部１４で実現される主な処理部として、情報取得部１４Ａ、登録処理部１４Ｂ、および連携制御部１４Ｃがある。
【００２９】
情報取得部１４Ａは、無線電話端末３０から送信された、ＩＰ電話網ＮＷに対して当該無線電話端末３０を登録するための登録メッセージ（ＲＥＧＩＳＴＥＲ）に応じて、当該無線電話端末３０へ当該登録に用いる認証情報を要求する機能と、得られた認証情報を当該無線電話端末３０と関連付けて、記憶部１３の呼制御データ１３Ａのうちの端末連携情報へ保存する機能と、無線電話端末３０から認証情報を取得する際、当該登録メッセージの送信先が当該電話制御装置１０であるか確認し、送信先が当該電話制御装置１０であることが確認された場合にのみ、当該無線電話端末３０へ情報要求する機能とを有している。
【００３０】
登録処理部１４Ｂは、ＩＰ電話網ＮＷに対して無線電話端末３０の登録処理を行う際、記憶部１３から読み出した当該無線電話端末３０の認証情報を含む登録メッセージをＩＰ電話網ＮＷに対して送信する機能を有している。
【００３１】
連携制御部１４Ｃは、登録処理部１４Ｂによる登録処理の完了に応じて、当該無線電話端末３０と１つの連携電話番号を共用する連携関係にある内線電話端末２０が有する機能キーのうちのいずれかに、当該連携電話番号の回線を選択するための連携回線キーを割り当てる機能を有している。
【００３２】
図３は、内線電話端末の外観図である。内線電話端末２０には、ダイヤルキーのほか、各種機能を任意に割り当てて利用できる機能キー２０Ａが複数設けられている。連携制御部１４Ｃは、これら機能キー２０Ａのうちのいずれかに、連携回線キー２０Ｂを割り当てる。各機能キー２０Ａには、当該機能に関する表示を行うＬＥＤなどのランプが設けられており、連携制御部１４Ｃは、この連携回線キー２０Ｂのランプの表示状態を制御して、連携回線の使用状態を識別表示する。これにより、当該内線電話端末２０による連携回線の使用状況だけでなく、連携関係にある無線電話端末３０による連携回線の使用状況も利用者に報知することができる。
【００３３】
［第１の実施の形態の動作］
次に、図４を参照して、本実施の形態にかかる電話システム１の無線電話端末登録動作について説明する。図４は、第１の実施の形態にかかる電話システムの無線電話端末登録動作を示すシーケンス図である。
ここでは、連携制御対象である無線電話端末３０による、ＩＰ電話網ＮＷへの登録処理について説明する。
【００３４】
無線電話端末３０は、ＩＰ電話網ＮＷに対して登録処理を行うため、登録処理に関する網宛て呼制御メッセージ、すなわち登録メッセージ（ＲＥＧＩＳＴＥＲ）を間欠的に送信する（ステップ１００）。
【００３５】
電話制御装置１０の情報取得部１４Ａは、無線電話端末３０から送信された登録メッセージ（ＲＥＧＩＳＴＥＲ）に応じて、登録メッセージ（ＲＥＧＩＳＴＥＲ）の送信先を示すＩＰアドレスやＭＡＣアドレスなどのアドレス情報が当該電話制御装置１０であるか否か確認し（ステップ１０１）、送信先が当該電話制御装置１０であることが確認された場合にのみ、登録成功メッセージ（２００ＯＫ）を網Ｉ／Ｆ部１１からＬＡＮ回線Ｌ２および無線基地局ＡＰを介して当該無線電話端末３０へ送信するとともに（ステップ１０２）、登録処理に用いる認証情報を要求するための情報要求メッセージを送信する（ステップ１０３）。
【００３６】
この際、送信先が当該電話制御装置１０でない場合は、網Ｉ／Ｆ部１１から網回線Ｌ１を介してＩＰ電話網ＮＷへ転送する。
また、呼制御データ１３Ａの端末連係情報に基づいて、登録メッセージ（ＲＥＧＩＳＴＥＲ）の送信元である無線電話端末３０が連携制御対象であるか否かについても確認し、連携制御対象であることも確認された場合にのみ、当該無線電話端末３０へ情報要求するようにしてもよい。
【００３７】
情報要求メッセージに応じて、無線電話端末３０から情報応答が返送された場合（ステップ１０４）、情報取得部１４Ａは、当該情報応答に含まれる認証情報を取得し、当該無線電話端末３０と関連付けて呼制御データ１３Ａの端末連係情報に保存する（ステップ１０５）。
【００３８】
続いて、登録処理部１４Ｂは、認証情報の取得に応じて、当該無線電話端末３０の登録処理のための登録メッセージを、網Ｉ／Ｆ部１１から網回線Ｌ１を介してＩＰ電話網ＮＷへ送信する（ステップ１１０）。
これに応じて、ＩＰ電話網ＮＷから認証要求メッセージ（４０７）が送信された場合（ステップ１１１）、登録処理部１４Ｂは、呼制御データ１３Ａの端末連係情報から当該無線電話端末３０の認証情報を取得し（ステップ１１２）、この認証情報を含む認証付き登録メッセージを生成してＩＰ電話網ＮＷへ送信する（ステップ１１３）。
【００３９】
この後、ＩＰ電話網ＮＷにおいて認証が成功した場合、ＩＰ電話網ＮＷから登録成功メッセージ（２００ＯＫ）が送信される（ステップ１１４）。
連携制御部１４Ｃは、この登録成功メッセージ（２００ＯＫ）に応じて無線電話端末３０と連携制御する内線電話端末２０に設けられた機能キーのうちのいずれかに、連携回線を選択するための連携回線キーを割り当てるキー割り当て指示と、当該連携回線キーと対応するランプの消灯指示とを、内線Ｉ／Ｆ部１２から内線回線２１を介して内線電話端末２０へ送信する（ステップ１１５，１１６）。これにより、内線電話端末２０の機能キーの１つとして、連携回線キーが割り当てられ、そのランプが消灯状態となる。
【００４０】
［無線電話端末発信動作］
次に、図５を参照して、本実施の形態にかかる電話制御装置１０における無線電話端末発信動作について説明する。図５は、第１の実施の形態にかかる電話制御装置の無線電話端末発信動作を示すシーケンス図である。
ここでは、連携制御対象である無線電話端末３０からの発信要求に対して、ＩＰ電話網ＮＷへ発信要求を通知する場合について説明する。
【００４１】
無線電話端末３０において、相手電話端末４０への発信操作が行われた場合（ステップ２００）、無線電話端末３０から発信要求メッセージ（ＩＮＶＩＴＥ）が送信される（ステップ２０１）。
【００４２】
電話制御装置１０の連携制御部１４Ｃは、無線電話端末３０からの発信要求メッセージ（ＩＮＶＩＴＥ）に応じて、ＩＰ電話網ＮＷへ発信要求メッセージ（ＩＮＶＩＴＥ）を生成して送信する（ステップ２０２）。
この発信要求メッセージ（ＩＮＶＩＴＥ）に応じて、ＩＰ電話網ＮＷから認証要求メッセージ（４０７）が送信された場合（ステップ２０３）、連携制御部１４Ｃは、この認証要求メッセージ（４０７）に含まれる登録要求元の電話番号などの識別情報に基づいて、登録要求元の無線電話端末３０を特定し、呼制御データ１３Ａの端末連係情報から当該無線電話端末３０の認証情報を取得し（ステップ２０４）、この認証情報を含む認証付き登録メッセージ（ＩＮＶＩＴＥ）を生成してＩＰ電話網ＮＷへ送信する（ステップ２０５）。
【００４３】
また、連携制御部１４Ｃは、認証付き登録メッセージの送信に応じて、呼制御データ１３Ａの端末連携情報に基づいて、無線電話端末３０と連携関係にある内線電話端末２０を特定し、連携回線キーのランプを橙点灯（無線電話端末の通話中）とするランプ制御メッセージを内線電話端末２０へ送信する（ステップ２０６）。
【００４４】
これにより、相手電話端末４０において着信表示が開始され、ＩＰ電話網ＮＷから着信中メッセージ（１８０）が送信される（ステップ２１０）。連携制御部１４Ｃは、この着信中メッセージ（１８０）に応じて、内線用の着信中メッセージ（１８０）を生成して無線電話端末３０へ送信する（ステップ２１１）。
【００４５】
また、この後、相手電話端末４０での応答操作に応じて、ＩＰ電話網ＮＷから応答メッセージ（２００ＯＫ）が送信される（ステップ２２０）。連携制御部１４Ｃは、この応答メッセージ（２００ＯＫ）に応じて、内線用の応答メッセージ（２００ＯＫ）を生成して無線電話端末３０へ送信する（ステップ２２１）。
【００４６】
このようにして、相手電話端末４０での着信応答がＩＰ電話網ＮＷから電話制御装置１０を介して無線電話端末３０へ通知され、相手電話端末４０と無線電話端末３０との間で通話が開始される（ステップ２２２）。
【００４７】
なお、図５では、無線電話端末３０での発信操作に応じた発信動作を例として説明したが、内線電話端末２０での例えば連携回線キーによる発信操作に応じて、内線電話端末２０から発信要求が送信された場合には、発信元が内線電話端末２０となって、着信中メッセージや応答メッセージの送信先が内線電話端末２０に代わるとともに、連携回線キーのランプが緑点灯（自端末の通話中）となる以外は、図５と同様の発信動作となる。
【００４８】
［第１の実施の形態の効果］
このように、本実施の形態は、情報取得部１４Ａが、無線電話端末３０から送信された、ＩＰ電話網ＮＷに対して当該無線電話端末３０を登録するための登録メッセージに応じて、当該無線電話端末３０へ当該登録に用いる認証情報を要求し、得られた認証情報を当該無線電話端末３０と関連付けて記憶部１３へ保存し、登録処理部１４Ｂが、ＩＰ電話網ＮＷに対して無線電話端末３０の登録処理を行う際、記憶部１３から読み出した当該無線電話端末３０の認証情報を含む登録メッセージをＩＰ電話網ＮＷに対して送信するようにしたものである。
【００４９】
これにより、電話制御装置１０がＩＰ電話網ＮＷに対して無線電話端末３０の登録を行う際、無線電話端末３０からの登録メッセージに応じて無線電話端末３０から取得して保存しておいた認証情報が用いられる。
したがって、電話制御装置１０に対して無線電話端末３０のＩＰ電話網用のＩＤやパスワードを予め設定しておく必要がないため、複雑な設定操作を必要とすることなく、内線収容した無線電話端末３０を制御することができる。
【００５０】
また、本実施の形態において、情報取得部１４Ａが、無線電話端末３０から認証情報を取得する際、当該登録メッセージの送信先が当該電話制御装置１０であるか確認し、送信先が当該電話制御装置１０であることが確認された場合にのみ、当該無線電話端末３０へ情報要求するようにしてもよい。これにより、電話制御装置１０に内線収容されている無線電話端末３０からの登録メッセージのみを正しく選択することができ、不正な無線電話端末からの登録要求を阻止することができる。
【００５１】
また、本実施の形態において、連携制御部１４Ｃが、登録処理部１４Ｂによる登録処理の完了に応じて、当該無線電話端末３０と１つの連携電話番号を共用する連携関係にある内線電話端末２０が有する機能キーのうちのいずれかに、当該連携電話番号の回線を選択するための連携回線キーを割り当てるようにしてもよい。これにより、無線電話端末３０が使用可能となると同時に、無線電話端末３０と連携関係にある内線電話端末２０にも連携回線キーが自動的に設けられ、極めてスムーズに無線電話端末３０との間で連携回線の共用を開始することができる。
【００５２】
［第２の実施の形態］
次に、図６を参照して、本発明の第２の実施の形態にかかる電話制御装置１０について説明する。図６は、第２の実施の形態にかかる電話制御装置１０の登録更新動作を示すシーケンス図である。
【００５３】
本実施の形態において、電話制御装置１０の登録処理部１４Ｂは、無線電話端末３０から送信された、登録を更新するための登録更新メッセージに応じて、記憶部１３から読み出した当該無線電話端末３０の認証情報を含む登録更新メッセージをＩＰ電話網ＮＷに対して送信する機能と、無線電話端末３０から登録更新メッセージを受信してから所定の監視時間が経過しても、当該無線電話端末３０から新たな登録更新メッセージを受信しなかった場合、当該無線電話端末３０に関する認証情報を記憶部１３から削除する機能とを有している。
【００５４】
［第２の実施の形態の動作］
次に、図６を参照して、本実施の形態にかかる電話制御装置１０の登録更新動作について説明する。
【００５５】
無線電話端末３０は、電話制御装置１０への登録処理後、電話制御装置１０に対して登録更新処理を行うため、登録更新メッセージ（ＬｉｆｅＣｈｅｃｋ［ｒｅＲＥＧ］）を間欠的に送信する（ステップ３００）。
【００５６】
電話制御装置１０の登録処理部１４Ｂは、無線電話端末３０からの登録更新メッセージ（ＬｉｆｅＣｈｅｃｋ［ｒｅＲＥＧ］）に応じて、記憶部１３で保存している無線電話端末３０の登録更新日時を当該時点の日時で更新し（ステップ３０１）、登録更新の成功を示す登録更新成功メッセージを当該無線電話端末３０へ返送する（ステップ３０２）。
【００５７】
また、登録処理部１４Ｂは、無線電話端末３０からの登録更新メッセージ（ＬｉｆｅＣｈｅｃｋ［ｒｅＲＥＧ］）に応じて、呼制御データ１３Ａの端末連携情報から当該無線電話端末３０の認証情報を取得し（ステップ３１０）、この認証情報を含む登録更新メッセージ（ｒｅＲＥＧ）をＩＰ電話網ＮＷに対して送信する（ステップ３１１）。
これに応じて、ＩＰ電話網ＮＷから登録更新成功メッセージ（２００ＯＫ）が送信される（ステップ３１２）。
【００５８】
一方、登録処理部１４Ｂは、記憶部１３で保存している無線電話端末３０の登録更新日時に基づいて、登録更新後の経過時間を、定期的に確認している（ステップ３２０）。
【００５９】
ここで、この経過時間が所定の監視時間より経過しており、無線電話端末３０から登録更新メッセージを受信してから所定の監視時間が経過しても、当該無線電話端末３０から新たな登録更新メッセージを受信しなかった場合（ステップ３２１）、登録処理部１４Ｂは、当該無線電話端末３０に関する認証情報を呼制御データ１３Ａの端末連係情報から削除するとともに（ステップ３２２）、無線電話端末３０と連携関係にある内線電話端末２０に対して、連携回線キーの削除を示すキー割り当てメッセージを送信する（ステップ３２３）。
【００６０】
これにより、利用者の外出などにより、無線電話端末３０が無線基地局ＡＰの圏外に移動した場合、認証情報が自動的に削除されるとともに、連携関係にある内線電話端末２０において連携回線が使用不可能となる。
【００６１】
［第２の実施の形態の効果］
このように、本実施の形態は、登録処理部１４Ｂが、無線電話端末３０から送信された、登録を更新するための登録更新メッセージに応じて、記憶部１３から読み出した当該無線電話端末３０の認証情報を含む登録更新メッセージをＩＰ電話網ＮＷに対して送信するようにしたものである。
これにより、無線電話端末３０からの登録更新メッセージを契機として、記憶部１３に保存されている認証情報に基づき、ＩＰ電話網ＮＷに対する無線電話端末３０の登録更新処理が自動実行され、登録更新処理ごとに、無線電話端末３０から認証情報を送信する必要がなくなる。
【００６２】
また、本実施の形態において、登録処理部１４Ｂが、無線電話端末３０から登録更新メッセージを受信してから所定の監視時間が経過しても、当該無線電話端末３０から新たな登録更新メッセージを受信しなかった場合、当該無線電話端末３０に関する認証情報を記憶部１３から削除するようにしてもよい。
これにより、利用者の外出などにより、無線電話端末３０が無線基地局ＡＰの圏外に移動した場合、認証情報が自動的に削除されるとともに、連携関係にある内線電話端末２０において連携回線が使用不可能となり、電話制御装置１０における認証情報の管理について、高いセキュリティ性を得ることができる。
【００６３】
［実施の形態の拡張］
以上、実施形態を参照して本発明を説明したが、本発明は上記実施形態に限定されるものではない。本発明の構成や詳細には、本発明のスコープ内で当業者が理解しうる様々な変更をすることができる。また、各実施形態については、矛盾しない範囲で任意に組み合わせて実施することができる。
【符号の説明】
【００６４】
１…電話システム、１０…電話制御装置、１１…網Ｉ／Ｆ部、１２…内線Ｉ／Ｆ部、１３…記憶部、１３Ａ…呼制御データ、１３Ｐ…プログラム、１４Ａ…情報取得部、１４Ｂ…登録処理部、１４Ｃ…連携制御部、２０…内線電話端末、２１…内線回線、３０…無線電話端末、４０…相手電話端末、ＮＷ…ＩＰ電話網、Ｌ１…網回線、Ｌ２…ＬＡＮ回線。
【図１】
2015073220.tif 000003
【図２】
2015073220.tif 000004
【図３】
2015073220.tif 000005
【図４】
2015073220.tif 000006
【図５】
2015073220.tif 000007
【図６】
2015073220.tif 000008